(57)【特許請求の範囲】
【請求項１】
重量センサと、
前記重量センサに負荷される内蔵分銅と、
前記内蔵分銅の加除ユニットと、
前記加除ユニットを駆動する演算処理部と、
前記演算処理部に接続された無線通信器と、を備え、
前記演算処理部は、
電波環境のチェックを行う電波環境チェック部と、
前記電波環境チェック部が電波良好と判定した場合に、前記内蔵分銅の加除を行い、前記無線通信器に対し校正データを転送する指示を出す校正実行部と、を備えることを特徴とする天秤。
【請求項２】
重量センサと、前記重量センサに負荷される内蔵分銅と、前記内蔵分銅の加除ユニットと、前記加除ユニットを駆動する演算処理部と、を含む天秤と、
前記演算処理部に接続された第一無線通信器と、
前記第一無線通信器からデータを受信する、外部機器に搭載または接続された第二無線通信器と、を備え、
前記演算処理部は、電波環境のチェックを行う電波環境チェック部と、前記電波環境チェック部が電波環境良好と判定した場合に、前記内蔵分銅の加除を行い、前記第一無線通信器に対し校正データを転送する指示を出す校正実行部と、を備えることを特徴とする無線通信システム。
【請求項３】
天秤と、前記天秤に接続されたデータ送信側の第一無線通信器と、外部機器に接続されたデータ受信側の第二無線通信器と、を備える無線通信システムを使用して、
（ａ）前記天秤周りの電波環境のチェックを行うステップと、
（ｂ）前記ステップ(ａ)で電波環境が良好である場合に、前記天秤の校正を実行するステップと、
（ｃ）前記ステップ(ｂ)の後に続けて、前記第一無線通信器から前記第二無線通信器に校正データを転送するステップと、
を備えることを特徴とする校正データ送信方法。
【請求項４】
前記ステップ(ｂ)の電波環境が良好か否かの判定は、前記天秤から前記第一無線通信器を介して出力されたコマンド信号の前記第二無線通信器からの肯定応答の返答率で行われることを特徴とする、請求項３に記載の校正データ送信方法。
【請求項５】
前記演算処理部は、前記電波環境のチェックを定期的に行って時刻による電波環境マップを作成する電波環境マップ作成部をさらに備え、
前記校正実行部は、前記電波環境マップを参照して、校正時刻の電波環境が良好である場合に、前記内蔵分銅の加除を行い、前記無線通信器に対し校正データを転送する指示を出すことを特徴とする、請求項１に記載の天秤。
【請求項６】
前記演算処理部は、前記電波環境のチェックを定期的に行って時刻による電波環境マップを作成する電波環境マップ作成部をさらに備え、
前記校正実行部は、前記電波環境マップを参照して、校正時刻の電波環境が良好である場合に、前記内蔵分銅の加除を行い、前記第一無線通信器に対し校正データを転送する指示を出すことを特徴とする、請求項２に記載の無線通信システム。
【発明の詳細な説明】
【技術分野】
【０００１】
この発明は、校正データを無線通信する天秤に関する。
【背景技術】
【０００２】
天秤、特に高い計量精度を有する電子秤には、計量精度を保持するため、天秤内に校正用の分銅が内蔵されているものがある。内蔵分銅を有する天秤では、校正キーが押された時、一定量の温度変化があった時、または一定時間が経過した時などに、内蔵分銅を天秤の重量センサに載せ下ろしして計量値を記録し、校正を実施する（例えば特許文献１）。校正により得られる複数の計量値（以降、校正データと称する）は、例えばＢｌｕｅｔｏｏｔｈ（登録商標）規格の無線送信器により、天秤から外部機器へと順次転送される。
【先行技術文献】
【特許文献】
【０００３】
【特許文献１】特開２００１−０１３００１号公報
【発明の概要】
【発明が解決しようとする課題】
【０００４】
しかし、天秤と外部機器間の距離が無線の通信可能距離に対して余裕がない，天秤と外部機器間に障害物がある，電波が他の機器が発する電波と干渉している，電波が混み合う時間帯であるなど、電波環境が悪い状態で校正が行われると、校正データが正しく転送されず、データ欠けが生じることがある。校正データの欠けは、特に、ＧＬＰ（Good  Laboratory  Practice）等の医薬品に関する規格により使用する天秤に対し厳しい保守管理および記録の保管が求められる場合に、校正記録の欠落に繋がるおそれがある。【０００５】
本発明の目的は、上記の問題を解決するためのものであり、校正データの転送（無線通信）を確実に行うことのできる校正データ送信方法，そのための天秤および無線通信システムを提供することにある。
【課題を解決するための手段】
【０００６】
上記課題を解決するために、本発明のある態様の天秤は、重量センサと、前記重量センサに負荷される内蔵分銅と、前記内蔵分銅の加除ユニットと、前記加除ユニットを駆動する演算処理部と、前記演算処理部に接続された無線通信器と、を備え、前記演算処理部は、電波環境のチェックを行う電波環境チェック部と、前記電波環境チェック部が電波良好と判定した場合に、前記内蔵分銅の加除を行い、前記無線通信器に対し校正データを転送する指示を出す校正実行部と、を備える。【０００７】
また、上記課題を解決するために、本発明のある態様の無線通信システムは、重量センサと、前記重量センサに負荷される内蔵分銅と、前記内蔵分銅の加除ユニットと、前記加除ユニットを駆動する演算処理部と、を含む天秤と、前記演算処理部に接続された第一無線通信器と、前記第一無線通信器からデータを受信する、外部機器に搭載または接続された第二無線通信器と、を備え、前記演算処理部は、電波環境のチェックを行う電波環境チェック部と、前記電波環境チェック部が電波環境良好と判定した場合に、前記内蔵分銅の加除を行い、前記第一無線通信器に対し校正データを転送する指示を出す校正実行部と、を備える。【０００８】
また、上記課題を解決するために、本発明のある態様の校正データ送信方法は、天秤と、前記天秤に接続されたデータ送信側の第一無線通信器と、外部機器に接続されたデータ受信側の第二無線通信器と、を備える無線通信システムを使用して、（ａ）前記天秤周りの電波環境のチェックを行うステップと、（ｂ）前記ステップ(ａ)で電波環境が良好である場合に、前記天秤の校正を実行するステップと、（ｃ）前記ステップ(ｂ)の後に続けて、前記第一無線通信器から前記第二無線通信器に校正データを転送するステップと、を備える。【０００９】
上記態様の方法において、前記ステップ(ｂ)の電波環境が良好か否かの判定は、前記天秤から前記第一無線通信器を介して出力されたコマンド信号の前記第二無線通信器からの肯定応答の返答率で行われるのも好ましい。【００１０】
上記態様の天秤において、前記演算処理部は、前記電波環境のチェックを定期的に行って時刻による電波環境マップを作成する電波環境マップ作成部をさらに備え、前記校正実行部は、前記電波環境マップを参照して、校正時刻の電波環境が良好である場合に、前記内蔵分銅の加除を行い、前記無線通信器に対し校正データを転送する指示を出すのも好ましい。【００１１】
上記態様の無線通信システムにおいて、前記演算処理部は、前記電波環境のチェックを定期的に行って時刻による電波環境マップを作成する電波環境マップ作成部をさらに備え、前記校正実行部は、前記電波環境マップを参照して、校正時刻の電波環境が良好である場合に、前記内蔵分銅の加除を行い、前記無線通信器に対し校正データを転送する指示を出すのも好ましい。
【発明の効果】
【００１２】
本発明によれば、校正データの無線通信を確実に行うことができる。
【図面の簡単な説明】
【００１３】
【図１】第一の実施形態に係る天秤の構成ブロック図である。
【図２】第一の実施形態に係る無線通信システムのブロック図である。
【図３】第一の実施形態に係る電波環境チェックの動作フローチャートである。
【図４】第一の実施形態に係る校正の動作フローチャートである。
【図５】第二の実施形態に係る無線通信システムのブロック図である。
【図６】第二の実施形態に係る電波環境マップ作成の動作フローチャートである。
【図７】第二の実施形態に係る校正の動作フローチャートである。
【発明を実施するための形態】
【００１４】
次に、本発明の好適な実施の形態について図面に基づき説明する。
【００１５】
（第一の実施形態）
図１の天秤１０は、電子秤である。天秤１０は、秤量皿１１、重量センサ１２、温度センサ１３、演算処理部１４、システムタイマ１５、メモリ１６、キースイッチ１７、表示部１８、ＲＳ２３２Ｃコネクタ１９、内蔵分銅２０、加除ユニット２１、およびブザー２５を有する。
【００１６】
重量センサ１２には、電磁平衡式、歪ゲージ式、または静電容量式などが用いられる。重量センサ１２には、秤量皿１１に載置された計量物の荷重が、ビーム（図示せず）を介して伝達される。重量センサ１２が検出した荷重は計量データとしてアナログ出力され、Ａ/Ｄ変換されて演算処理部１４に出力される。
【００１７】
内蔵分銅２０は、加除ユニット２１によって載せ下ろしされる。加除ユニット２１は、内蔵分銅受け部２２、カム２３、モータＭ、モータ駆動回路２４を有する。内蔵分銅受け部２２は、重量センサ１２に接続されたビームにリンクされており、内蔵分銅受け部２２に負荷された内蔵分銅２０の荷重は重量センサ１２に伝達される。モータ駆動回路２４は演算処理部１４に接続されており、加除ユニット２１は、演算処理部１４からの指令によりモータＭを駆動して、カム２３を回動させて内蔵分銅受け部２２を昇降させ、内蔵分銅２０を内蔵分銅受け部２２に載せ下ろしさせる。なお、加除ユニット２１には、駆動部としてポンプ式が採用されてもよい。
【００１８】
温度センサ１３は、天秤１０の配置されている環境の温度を検出する。温度センサ１３から出力された温度データは、Ａ/Ｄ変換されて演算処理部１４に出力される。なお、必要に応じて、湿度センサや気圧センサが追加されてもよい。
【００１９】
システムタイマ１５は、ハードウェアタイマとソフトウェアタイマのカウント値を演算することにより、天秤１０の現在時刻（システムタイム）を取得する。
【００２０】
キースイッチ１７および表示部１８は、演算処理部１４に接続されており、天秤１０の本体ケースの前側面に設けられている。ＲＳ２３２Ｃコネクタ１９は、例えば天秤１０の本体ケースの左右側面または後側面に設けられ、演算処理部１４に接続されている。
【００２１】
演算処理部１４は、例えばＣＰＵ，ＲＯＭ，ＲＡＭ等を集積回路に実装したマイクロコントローラであり、メモリ１６はハードディスク等の記憶媒体である。演算処理部１４は、重量センサ１２が検出した計量データを計量値として算出し、メモリ１６に記録し、表示部１８に表示する。メモリ１６には、演算処理部１４の演算のための各種プログラムが格納されているとともに、後述する電波環境の判断のための閾値Ｒが記憶されている。
【００２２】
図２は無線通信システム４０のブロック図である。無線通信システム４０には天秤１０が含まれる。天秤１０には、第一無線通信器４１が接続されている。第二無線通信器４２は、汎用のパーソナルコンピュータＰＣに接続されている。すなわち、第一無線通信器４１はデータ送信側である天秤１０に、第二無線通信器４２はデータ受信側となる外部機器に接続されている。
【００２３】
第一無線通信器４１は、ＲＳ２３２Ｃコネクタ４１０、電圧レベル変換のためのバッファ４１１、通信モジュール４１２、ＬＥＤ４１３、およびペアリング用スイッチ４１４を有する。
【００２４】
第一無線通信器４１と天秤１０は、ＲＳ２３２Ｃコネクタ４１０，１９によって、ＲＳ２３２Ｃケーブルを介して、または直接、接続されている。通信モジュール４１２は、例えば、Ｂｌｕｅｔｏｏｔｈ（登録商標），Ｚｉｇｂｅｅ（登録商標）等の無線規格、またはＷｉ-ｆｉ等の無線ＬＡＮ（Local Area Network）等のモジュールである。通信モジュール４１２は、天秤１０から発せられるコマンドをトリガーとして、データを第二無線通信器４２に送信する。通信モジュール４１２には、ＬＥＤ４１３およびペアリング用スイッチ４１４が接続されている。ＬＥＤ（light emitting diode）４１３は、通信モジュール４１２と通電し、通信モジュール４１２が動作中に発光する。ＬＥＤ４１３の発光により、ユーザは視覚的に通信が実行されているか確認できる。
【００２５】
第二無線通信器４２は、通信モジュール４２１、ＣＰＵ４２２、ＬＥＤ４２３、ペアリング用スイッチ４２４、およびＵＳＢコネクタ４２５を有する。
【００２６】
第二無線通信器４２は、ＵＳＢコネクタ４２５を介して、パーソナルコンピュータＰＣに接続されている。通信モジュール４２１は、第一無線通信器４１のものと同規格のものが採用される。ＣＰＵ４２２は、パーソナルコンピュータＰＣと通信する。ＣＰＵ４２２には、ＬＥＤ４２３およびペアリング用スイッチ４２４が接続されている。ＬＥＤ４２３は、ＣＰＵ４２２が動作中に発光する。ＬＥＤ４２３の発光により、ユーザは視覚的に通信が実行されているか確認できる。
【００２７】
ここで、図２に示すように、本形態の天秤１０の演算処理部１４は、校正タイミング判定部３１、電波環境チェック部３２、および校正実行部３３を有する。
【００２８】
校正タイミング判定部３１は、定期的に温度センサ１３から温度データを取得し、温度が予め定めた基準値を超えていた場合、自動で校正のタイミングと判定する。また、システムタイマ１５からシステムタイムを取得し、予め定めた校正周期を経過した場合、自動で校正のタイミングと判定する。また、キースイッチ１７に含まれる校正キーが押された時、校正のタイミングと判定する。校正タイミング判定部３１の動作は、従来技術と同様である。
【００２９】
電波環境チェック部３２は、天秤１０の現在の電波環境をチェックする（「電波環境チェック」）。電波環境チェック部３２は、校正タイミング判定部３１で校正のタイミングと判定された場合に動作する。
【００３０】
図３は、電波環境チェック部３２により実行される電波環境チェックの動作フローチャートである。
【００３１】
電波環境チェック部３２は、ステップＳ１０１で、電波環境の判断のための閾値Ｒをメモリ１６から読み出す。閾値Ｒについては後述する。
【００３２】
次にステップＳ１０２に移行して、電波環境チェック部３２は、第一無線通信器４１と第二無線通信器４２の間でデータの送受信があるか確認する。送受信がない場合（Ｙｅｓ）はステップＳ１０３に移行する。送受信がある場合（Ｎｏ）はステップＳ１０２に戻る。
【００３３】
次にステップＳ１０３に移行して、電波環境チェック部３２は、電波チェックコマンドを生成する。電波チェックコマンドを受けた第一無線通信器４１は、コマンド信号を第二無線通信器４２に送信する。
【００３４】
次にステップＳ１０４に移行して、電波環境チェック部３２は、第二無線通信器４２から肯定応答が返ってくるかを確認する。肯定応答が返ってくる場合（Ｙｅｓ）はステップＳ１０５に移行し、返答回数を１増やす（プラス１する）。肯定応答が返ってこない場合（Ｎｏ）はステップＳ１０６に移行する。
【００３５】
ステップＳ１０６に移行すると、電波環境チェック部３２は、規定の回数だけコマンド信号を送信したかどうか確認する。規定回数未満の場合（Ｎｏ）は、ステップＳ１０４に戻る。規定回数以上の場合（Ｙｅｓ）は、ステップＳ１０７に移行する。
【００３６】
ステップＳ１０７に移行すると、電波環境チェック部３２は、返答回数から肯定応答の「返答率α」を算出する。例えば、コマンド信号を５０回／秒で送信し、返答回数が４２回であった場合、返答率αは８４％である。電波環境チェック部３２は、「返答率α」をメモリ１６に記録して、動作を終了する。
【００３７】
図４は、第一の実施形態に係る校正の動作フローチャートである。
【００３８】
校正実行部３３は、電波環境チェック部３２の検出結果を基に、校正を実行する。校正実行部３３は、電波環境チェック部３２の動作の後に続いて動作する。従って、まず、ステップＳ２０１では、図３に示す「電波環境チェック」が行われる。
【００３９】
次に、ステップＳ２０２に移行して、校正実行部３３は、ステップＳ２０１で得た返答率αと閾値Ｒを読み出し、返答率αと閾値Ｒを比較して、その時刻での電波環境が良好かどうか判定する。閾値Ｒは、返答率αの閾値であり、予め設定され、メモリ１６に記憶されている。閾値Ｒは、電波環境が良好か否かの判定基準であり、ユーザが校正データに求める基準を基に定められるのが好ましい。例えば厳しい管理基準を設ける場合、閾値Ｒは９８％未満の場合が電波不良、比較的緩やかな管理基準を設ける場合、閾値Ｒは９０％未満の場合が電波不良、などと設定されるのが好適である。校正実行部３３は、返答率α≧閾値Ｒの場合は電波良好と判定し、返答率α＜閾値Ｒの場合は電波不良と判定する。電波良好でなければ（Ｎｏ）ステップＳ２０９に移行し、電波良好であれば（Ｙｅｓ）ステップＳ２０３に移行する。
【００４０】
ステップＳ２０３に移行すると、校正実行部３３は、電波環境が良好であることを通知するために、天秤１０の表示部１８に、例えば「Ｇｏｏｄ」と表示を出す。
【００４１】
次に、ステップＳ２０４に移行して、校正実行部３３は、電波環境に問題はないとして、校正を実行する。すなわち、モータ駆動回路２４に駆動信号を出力して加除ユニット２１を動作させ、内蔵分銅２０を載せ下ろしし、その計量値（校正データ）を、時刻情報とともに、第一無線通信器４１に出力する。
【００４２】
次に、ステップＳ２０５に移行して、校正実行部３３は、第一無線通信器４１に対し校正データを転送するよう指示を出す。第一無線通信器４１は、第二無線通信器４２に校正データを送信する。
【００４３】
次に、ステップＳ２０６に移行して、校正実行部３３は、第二無線通信器４２から肯定応答が返ってくるかを確認する。肯定応答が返ってこない場合（Ｎｏ）はステップＳ２０８に移行して、表示部１８に、校正データが転送されていないことを知らせるためのエラー表示（２）、例えば「Ｎｏｔ  ｙｅｔ」を表示する。肯定応答が返ってくる場合（Ｙｅｓ）はステップＳ２０７に移行し、校正データが無事転送されたとして、ブザー２５を鳴らして通知し、動作を終了する。なお、ブザー２５以外の通知手段、例えば表示による通知であってもよく、その場合ブザー２５は天秤１０の任意の構成要素としてよい。
【００４４】
一方、ステップＳ２０２で電波不良と判定され、ステップＳ２０９に移行した場合は、校正実行部３３は、電波環境が不良であることを通知するために、表示部１８に、例えば「Ｂａｄ」の表示を出す。
【００４５】
次に、ステップＳ２１０に移行して、校正実行部３３は、再度電波環境チェック部３２を動作させて、電波不良が継続しているか判定する。電波不良が継続しなければ（Ｎｏ）ステップＳ２０２に戻る。電波不良が継続していれば（Ｙｅｓ）ステップＳ２１１に移行し、校正実行部３３は、表示部１８に、現在校正データ転送のための電波環境が整わないとことを示すためのエラー表示（１）、例えば「Ｂａｄ  ｒａｄｉｏ」を表示し、動作を終了する。
【００４６】
以上、本形態の天秤１０および無線通信システム４０によれば、校正を実行する前段階に「電波環境チェック」を行うので、電波環境が良好な場合にのみ校正が実行され、校正データが送信される。
【００４７】
また、天秤１０および無線通信システム４０によれば、電波環境が悪い場合は、「電波環境チェック」を繰り返し、環境が整うまで校正およびデータ送信を控え、環境が整い次第、校正を実行し、校正データを送信する。このため、校正データの無線通信を確実に行うことができる。
【００４８】
また、好ましくは、電波環境が良好か否かは、ユーザの求める基準により設定されるコマンド信号の返答率αを基準にすることで、ユーザの使用要求に叶う校正データを確保することができる。
【００４９】
（第二の実施形態）
図５は第二の実施形態に係る無線通信システム４０´のブロック図である。第一の実施形態と同様の構成要素については、同一の符号を引用することにより、記載を割愛する。
【００５０】
第二の実施形態に係る天秤１０の構成は図１と同様であるが、図５に示すように、演算処理部１４の要素に変更がある。演算処理部１４は、校正タイミング判定部３１と、電波環境チェック部３２と、校正実行部３３と、さらに電波環境マップ作成部３４を有する。
【００５１】
本形態では、電波環境チェック部３２が定期的に自動で動作し（予め定めた周期ごとに、例えば１時間毎）、返答率αが時刻情報とともにメモリ１６に記録される。
【００５２】
電波環境マップ作成部３４は、電波環境チェック部３２が行った「電波環境チェック」を基に、時刻による「電波環境マップ」を作成する。図６は、電波環境マップ作成の動作フローチャートである。
【００５３】
まず、ステップＳ３０１で、電波環境マップ作成部３４は、システムタイマ１５からシステムタイムを取得し、所定の時刻になったかを判定する。所定の時刻でなければ（Ｎｏ）ステップＳ３０１に戻り、所定の時刻であれば（Ｙｅｓ）ステップＳ３０２に移行する。
【００５４】
ステップＳ３０２に移行すると、電波環境マップ作成部３４は、電波環境チェック部３２を動作させ、ステップＳ３０２〜Ｓ３０８の動作を行う。このステップＳ３０２〜Ｓ３０８の動作は、「電波環境チェック」の動作であり、第一の実施形態に係る図３のステップＳ１０１〜Ｓ１０７と同様である。
【００５５】
次に、ステップＳ３０９に移行して、電波環境マップ作成部３４は、現在の時刻と一致する（ここに言う一致とは、例えば現在時刻±５分を対象にしてもよい）返答率αの過去データがあるかメモリ１６を参照する。返答率αの過去データがある場合には、過去データを用いて返答率αの平均βを算出する。過去データがない場合は、現在の時刻の返答率αを平均βとする。
【００５６】
次に、ステップＳ３１０に移行して、電波環境マップ作成部３４は、平均βを「時刻電波環境」としてメモリ１６に記録する。そして、電波環境マップ作成部３４は、時刻電波環境β≧閾値Ｒの場合は電波良好、時刻電波環境β＜閾値Ｒの場合は電波不良として、現在の時刻の電波環境を記憶して、動作を終了する。
【００５７】
図７は、第二の実施形態に係る校正の動作フローチャートである。本形態の校正実行部３３は、校正タイミング判定部３１が校正のタイミングと判定したとき（即ち、校正キーが押された時、もしくは自動校正が始まる際）に動作する。
【００５８】
まず、ステップ４０１で、校正実行部３３は、現在の時刻の電波環境は良好かどうかを、電波環境マップ作成部３４が作成した「電波環境マップ」を参照して判定する。「電波環境マップ」上で、現在の時刻が電波良好でなければ（Ｎｏ）ステップＳ４０６に移行し、電波良好であれば（Ｙｅｓ）ステップＳ４０２に移行する。
【００５９】
ステップＳ４０２に移行すると、校正実行部３３は、現在の時刻は電波環境に問題がない可能性が高いとして、校正を実行する。すなわち、モータ駆動回路２４に駆動信号を出力して加除ユニット２１を動作させ、内蔵分銅２０を載せ下ろしし、その計量値（校正データ）を、時刻情報とともに、第一無線通信器４１に出力する。
【００６０】
次に、ステップＳ４０３に移行して、校正実行部３３は、第一無線通信器４１に対し校正データを転送するよう指示を出す。第一無線通信器４１は、第二無線通信器４２に校正データを送信する。
【００６１】
次に、ステップＳ４０４に移行して、校正実行部３３は、第二無線通信器４２から肯定応答が返ってくるかを確認する。肯定応答が返ってこない場合（Ｎｏ）はステップＳ４０７に移行して、表示部１８に、校正データが転送されていないことを知らせるためのエラー表示（２）、「Ｎｏｔ  ｙｅｔ」を表示する。肯定応答が返ってくる場合（Ｙｅｓ）はステップＳ４０５に移行し、校正データが無事転送されたとして、ブザー２５を鳴らして通知し、動作を終了する。
【００６２】
一方、ステップＳ４０１で電波不良と判定され、ステップＳ４０６に移行した場合は、校正実行部３３は、現在の時刻は電波環境に問題がある可能性が高く、校正データ転送のための電波環境が整わないことを示すためのエラー表示（１）、例えば「Ｂａｄ  ｒａｄｉｏ」を表示し、動作を終了する。
【００６３】
以上、本形態の天秤１０および無線通信システム４０´によれば、校正を実行する前段階に、時間帯による「電波環境マップ」を参照するので、電波環境が良好な時間帯である場合にのみ校正が実行され、校正データが送信される。「電波環境マップ」は、天秤１０により自動的かつ継続的にデータが取られ、蓄積していくので、天秤１０が置かれた環境に固有に適応していく。このため、校正データの無線通信を確実に行うことができる。
【００６４】
なお、上記の二つの実施形態では、第一無線通信器４１は、ＲＳ２３２Ｃコネクタ（通信用コネクタ）１９を介して演算処理部１４に接続された外付けの機器として記載されているが、天秤１０に内蔵された通信用ＩＣ（第一無線通信部）で構成されてもよい。同様に、第二無線通信器４２は、ＵＳＢコネクタ４２５（通信用コネクタ）を介してパーソナルコンピュータＰＣに接続された外付けの機器として記載されているが、パーソナルコンピュータＰＣに内蔵された通信用ＩＣ（第二無線通信部）で構成されてもよい。
【００６５】
以上、本発明の好ましい実施の形態および変形を述べたが、各形態および各変形を当業者の知識に基づいて組み合わせることは可能であり、そのような形態は本発明の範囲に含まれる。
【符号の説明】
【００６６】
１０  天秤
１２  重量センサ
１４  演算処理部
１９  ＲＳ２３２Ｃコネクタ
２０  内蔵分銅
２１  加除ユニット  
３２  電波環境チェック部
３３  校正実行部
３４  電波環境マップ作成部
４０，４０´  無線通信システム
４１  第一無線通信器
４２  第二無線通信器
【要約】
校正データの無線通信を確実に行う。上記課題を解決するために、天秤（10）は、重量センサ（12）と、前記重量センサに負荷される内蔵分銅（20）と、前記内蔵分銅の加除ユニット（21）と、前記加除ユニットを駆動する演算処理部（14）と、前記演算処理部に接続された無線通信器（41）と、を備え、前記演算処理部は、電波環境のチェックを行う電波環境チェック部（32）と、前記電波環境チェック部が電波良好と判定した場合に、前記内蔵分銅の加除を行い、前記無線通信器に対し校正データを転送する指示を出す校正実行部（33）と、を備える。【図１】
0006391107.tif 000002
【図２】
0006391107.tif 000003
【図３】
0006391107.tif 000004
【図４】
0006391107.tif 000005
【図５】
0006391107.tif 000006
【図６】
0006391107.tif 000007
【図７】
0006391107.tif 000008